(57)【要約】【課題】部品点数の増加を抑制することが可能な撮像装置を提供する。【解決手段】このビデオカメラ１０（撮像装置）は、シャッタ装置部３０に、シャッタ開口部３１ａが設けられたシャッタ基板３１と、シャッタ基板３１に回動可能に取り付けられるとともに、シャッタ開口部３１ａを開閉可能で、かつ、シャッタ基板３１のシャッタ開口部３１ａから入射する光量を減少させる絞り穴３２ａを有する１枚のシャッタ羽根３２と、１枚のシャッタ羽根３２を回動駆動させる１つのステッピングモータ３３とを備える。【選択図】図１
2008052155.tif 000002
【特許請求の範囲】
【請求項１】
シャッタ開口部が設けられたシャッタ基板を備えた撮像装置において、
前記シャッタ基板に回動可能に取り付けられるとともに、前記シャッタ開口部を開閉可能で、かつ、前記シャッタ基板の前記シャッタ開口部から入射する光量を減少させる絞り穴を有する１枚のシャッタ羽根と、
前記１枚のシャッタ羽根を回動駆動させる１つの駆動源とをさらに備え、
前記駆動源は、前記駆動源の駆動軸が、前記シャッタ羽根の回動中心部に直接的に接続されるとともに、前記駆動源の駆動軸が、前記シャッタ羽根の回動平面に対して実質的に垂直となるように前記シャッタ基板に取り付けられ、
前記駆動源は、パルス数により回動角度の制御が可能なステッピングモータであり、
前記シャッタ羽根は、前記駆動源の駆動軸の回動角度に応じて、前記シャッタ開口部を開く全開位置、前記シャッタ開口部を閉じる全閉位置、および、前記シャッタ開口部に前記絞り穴を配置させて前記シャッタ開口部を部分的に開く小絞り位置の３つの位置に移動可能である、撮像装置。
【請求項２】
シャッタ開口部が設けられたシャッタ基板と、
前記シャッタ基板に回動可能に取り付けられるとともに、前記シャッタ開口部を開閉可能で、かつ、前記シャッタ基板の前記シャッタ開口部から入射する光量を減少させる絞り穴を有する１枚のシャッタ羽根と、
前記１枚のシャッタ羽根を回動駆動させる１つの駆動源とを備えた、撮像装置。
【請求項３】
前記駆動源の駆動軸が、前記シャッタ羽根の回動中心部に直接的に接続されている、請求項２に記載の撮像装置。
【請求項４】
前記駆動源は、前記駆動源の駆動軸が、前記シャッタ羽根の回動平面に対して実質的に垂直となるように前記シャッタ基板に取り付けられている、請求項３に記載の撮像装置。
【請求項５】
前記駆動源は、パルス数により回動角度の制御が可能なステッピングモータである、請求項２〜４のいずれか１項に記載の撮像装置。
【請求項６】
前記シャッタ羽根は、前記駆動源の駆動軸の回動角度に応じて、前記シャッタ開口部を開く全開位置、前記シャッタ開口部を閉じる全閉位置、および、前記シャッタ開口部に前記絞り穴を配置させて前記シャッタ開口部を部分的に開く小絞り位置の３つの位置に移動可能である、請求項２〜５のいずれか１項に記載の撮像装置。
【発明の詳細な説明】
【技術分野】
【０００１】
この発明は、撮像装置に関し、特に、シャッタ開口部が設けられたシャッタ基板を備えた撮像装置に関する。
【背景技術】
【０００２】
従来、シャッタ開口部が設けられたシャッタ基板を備えた撮像装置が知られている（たとえば、特許文献１〜４参照）。
【０００３】
上記特許文献１には、開口部が設けられたシャッタ基板と、シャッタ基板に回動可能に支持され、シャッタ基板の開口部を開閉することが可能なシャッタ用セクタ（シャッタ羽根）および絞り穴（小穴）を有する絞り用セクタ（絞り羽根）と、１つの駆動源（ステッピングモータ）とを備えた撮像装置が開示されている。この特許文献１に記載の撮像装置では、駆動源の駆動軸に取り付けられた駆動アームの突起部（ピン）が、シャッタ用セクタに設けられたカム穴および絞り用セクタに設けられたカム穴の両方に係合することによって、１つの駆動源でシャッタ用セクタおよび絞り用セクタの両方を必要に応じて駆動させることが可能なように構成されている。
【０００４】
また、上記特許文献２には、開口部が設けられたシャッタ基板と、シャッタ基板に回動可能に支持され、シャッタ基板の開口部を開閉することが可能な２枚のシャッタ用セクタ（シャッタ羽根）と、１つの駆動源（ステッピングモータ）とを備えた撮像装置が開示されている。この特許文献２に記載の撮像装置では、駆動源の駆動軸に取り付けられた作動部材（作動ピン）が、異なる固定軸を中心として回動可能な２枚のシャッタ用セクタのそれぞれに設けられたカム穴に係合することによって、１つの駆動源で２枚のシャッタ用セクタを駆動させることが可能なように構成されている。
【０００５】
また、上記特許文献３には、開口部が設けられたシャッタ基板と、シャッタ基板に回動可能に支持され、シャッタ基板の開口部を開閉することが可能な２枚のシャッタ羽根と、１つの駆動源（電磁アクチュエータ）とを備えた撮像装置が開示されている。この特許文献３に記載の撮像装置では、駆動源の駆動軸に取り付けられた作動部材（作動アーム）の作動ピンが、異なる固定軸を中心として回動可能な２枚のシャッタ羽根のそれぞれに設けられた長穴（カム穴）に係合することによって、１つの駆動源で２枚のシャッタ羽根を駆動させることが可能なように構成されている。
【０００６】
また、上記特許文献４には、開口部が設けられたシャッタ基板と、シャッタ基板に回動可能に支持され、シャッタ基板の開口部を開閉することが可能な２枚のシャッタ用セクタ（シャッタ羽根）と、シャッタ基板に回動可能に支持され、シャッタ基板の開口部面積を縮小することが可能な絞り穴（小穴）を有する１枚の絞り用セクタ（絞り羽根）と、１つの駆動源（スイングモータ）とを備えた撮像装置が開示されている。この特許文献４に記載の撮像装置では、駆動源の駆動軸に取り付けられた作動部材（複数の作動レバー）が、それぞれ異なる固定軸を中心として回動可能な２枚のシャッタ用セクタに係合するとともに、２枚のシャッタ用セクタの固定軸とは別な第３の固定軸を中心として回動可能な１枚の絞り用セクタに係合することによって、１つの駆動源で２枚のシャッタ用セクタと１枚の絞り用セクタとを駆動させることが可能なように構成されている。
【０００７】
【特許文献１】特開２００６−７２１６１号公報
【特許文献２】特開２００５−７７７６０号公報
【特許文献３】特開２００４−１０９９３３号公報
【特許文献４】特開平１１−１２５８５０号公報
【発明の開示】
【発明が解決しようとする課題】
【０００８】
しかしながら、上記特許文献１に記載の撮像装置では、１つの駆動源（ステッピングモータ）を用いて１枚のシャッタ用セクタおよび１枚の絞り用セクタの合計２枚のセクタ（羽根）を駆動させるとともに、駆動源の駆動力をセクタに伝達するための駆動機構（駆動アームおよびカム穴）を設ける必要がある。このため、構成部品の部品点数が増加するという問題点がある。
【０００９】
また、上記特許文献２に記載の撮像装置では、１つの駆動源（ステッピングモータ）を用いて２枚のシャッタ用セクタを駆動させるとともに、駆動源の駆動力をシャッタ用セクタに伝達するための駆動機構（作動ピンおよびカム穴）を設ける必要がある。このため、構成部品の部品点数が増加するという問題点がある。
【００１０】
また、上記特許文献３に記載の撮像装置では、１つの駆動源（電磁アクチュエータ）を用いて合計２枚のシャッタ用セクタを駆動させるとともに、駆動源の駆動力をシャッタ用セクタに伝達するための駆動機構（作動アームおよびカム穴）を設ける必要がある。このため、構成部品の部品点数が増加するという問題点がある。
【００１１】
また、上記特許文献４に記載の撮像装置では、１つの駆動源（スイングモータ）を用いて２枚のシャッタ用セクタおよび１枚の絞り用セクタの合計３枚のセクタ（羽根）を駆動させるとともに、駆動源の駆動力を３枚のセクタに伝達するための駆動機構（複数の作動レバー）を設ける必要がある。このため、構成部品の部品点数が増加するという問題点がある。
【００１２】
この発明は、上記のような課題を解決するためになされたものであり、この発明の１つの目的は、部品点数の増加を抑制することが可能な撮像装置を提供することである。
【課題を解決するための手段および発明の効果】
【００１３】
この発明の第１の局面による撮像装置は、シャッタ開口部が設けられたシャッタ基板を備えた撮像装置において、シャッタ基板に回動可能に取り付けられるとともに、シャッタ開口部を開閉可能で、かつ、シャッタ基板のシャッタ開口部から入射する光量を減少させる絞り穴を有する１枚のシャッタ羽根と、１枚のシャッタ羽根を回動駆動させる１つの駆動源とをさらに備え、駆動源は、駆動源の駆動軸が、シャッタ羽根の回動中心部に直接的に接続されるとともに、駆動源の駆動軸が、シャッタ羽根の回動平面に対して実質的に垂直となるようにシャッタ基板に取り付けられ、駆動源は、パルス数により回動角度の制御が可能なステッピングモータであり、シャッタ羽根は、駆動源の駆動軸の回動角度に応じて、シャッタ開口部を開く全開位置、シャッタ開口部を閉じる全閉位置、および、シャッタ開口部に絞り穴を配置させてシャッタ開口部を部分的に開く小絞り位置の３つの位置に移動可能である。
【００１４】
この第１の局面による撮像装置では、上記のように、シャッタ基板に回動可能に取り付けられるとともに、シャッタ開口部を開閉可能で、かつ、シャッタ基板のシャッタ開口部から入射する光量を減少させる絞り穴を有する１枚のシャッタ羽根と、１枚のシャッタ羽根を回動駆動させる１つの駆動源とを備えるように構成することによって、駆動源が絞り穴を有する１枚のシャッタ羽根を回動させる際に、露光を調節する小絞り状態を含めた撮像に関わる全てのシャッタ動作を行わせることができるために、シャッタ装置を構成する部品点数の増加を抑制することができる。また、駆動源の駆動軸を、シャッタ羽根の回動中心部に直接的に接続するように構成することによって、駆動源の駆動力をシャッタ羽根に伝達するためのギア部材やカム機構などを新たに設ける必要がないので、シャッタ装置の駆動機構を簡素化することができるとともに、部品点数の増加をより抑制することができる。また、駆動源を、駆動源の駆動軸が、シャッタ羽根の回動平面に対して実質的に垂直となるようにシャッタ基板に取り付けるように構成することによって、駆動源の駆動軸と、シャッタ羽根の回動軸とが平行となるので、容易に、駆動源の駆動力をシャッタ羽根の回動中心部に直接的に取り付けることができる。
【００１５】
また、第１の局面による撮像装置では、駆動源を、パルス数により回動角度の制御が可能なステッピングモータであるように構成することによって、パルス数の制御により容易に駆動源の駆動軸の回動角度を制御することができる。また、シャッタ羽根を、駆動源の駆動軸の回動角度に応じて、シャッタ開口部を開く全開位置、シャッタ開口部を閉じる全閉位置、および、シャッタ開口部に絞り穴を配置させてシャッタ開口部を部分的に開く小絞り位置の３つの位置に移動可能であるように構成することによって、１枚のシャッタ羽根により、シャッタ開口部を全開、全閉および小絞り状態の３つの状態を撮像プロセスに従って形成することができるので、露光状況に応じた被写体の撮像を容易に行うことができる。
【００１６】
この発明の第２の局面による撮像装置は、シャッタ開口部が設けられたシャッタ基板と、シャッタ基板に回動可能に取り付けられるとともに、シャッタ開口部を開閉可能で、かつ、シャッタ基板のシャッタ開口部から入射する光量を減少させる絞り穴を有する１枚のシャッタ羽根と、１枚のシャッタ羽根を回動駆動させる１つの駆動源とを備えている。
【００１７】
この第２の局面による撮像装置では、上記のように、シャッタ基板に回動可能に取り付けられるとともに、シャッタ開口部を開閉可能で、かつ、シャッタ基板のシャッタ開口部から入射する光量を減少させる絞り穴を有する１枚のシャッタ羽根と、１枚のシャッタ羽根を回動駆動させる１つの駆動源とを備えるように構成することによって、駆動源が１枚のシャッタ羽根を回動させる際に、露光を調節する小絞り状態を含めた撮像に関わる全てのシャッタ動作を行わせることができるために、シャッタ装置を構成する部品点数の増加を抑制することができる。
【００１８】
上記第２の局面による撮像装置において、好ましくは、駆動源の駆動軸が、シャッタ羽根の回動中心部に直接的に接続されている。このように構成すれば、駆動源の駆動力をシャッタ羽根に伝達するためのギア部材やカム機構などを設ける必要がないので、シャッタ装置の駆動機構を簡素化することができるとともに、部品点数の増加を抑制することができる。
【００１９】
この場合、好ましくは、駆動源は、駆動源の駆動軸が、シャッタ羽根の回動平面に対して実質的に垂直となるようにシャッタ基板に取り付けられている。このように構成すれば、駆動源の駆動軸と、シャッタ羽根の回動軸とが平行となるので、容易に、駆動源の駆動力をシャッタ羽根の回動中心部に直接的に取り付けることができる。
【００２０】
上記第２の局面による撮像装置において、好ましくは、駆動源は、パルス数により回動角度の制御が可能なステッピングモータである。このように構成すれば、パルス数の制御により容易に駆動源の駆動軸の回動角度を制御することができる。
【００２１】
上記第２の局面による撮像装置において、好ましくは、シャッタ羽根は、駆動源の駆動軸の回動角度に応じて、シャッタ開口部を開く全開位置、シャッタ開口部を閉じる全閉位置、および、シャッタ開口部に絞り穴を配置させてシャッタ開口部を部分的に開く小絞り位置の３つの位置に移動可能である。このように構成すれば、１枚のシャッタ羽根により、シャッタ開口部を全開、全閉および小絞り状態の３つの状態を撮像プロセスに従って形成することができるので、露光状況に応じた被写体の撮像を容易に行うことができる。
【発明を実施するための最良の形態】
【００２２】
以下、本発明を具体化した実施形態を図面に基づいて説明する。
【００２３】
図１は、本発明の一実施形態によるビデオカメラを構成するシャッタ装置部を示した斜視図である。図２は、図１に示した本発明の一実施形態によるビデオカメラを構成するシャッタ装置部を別方向から見た場合の斜視図である。図３〜図６は、図１に示した本発明の一実施形態によるビデオカメラの構造を示した図である。図７〜図１２は、図１に示した本発明の一実施形態によるビデオカメラを構成するシャッタ装置部の構成および動作を説明するための図である。まず、図１〜図１２を参照して、本発明の一実施形態によるビデオカメラの構成について説明する。なお、本実施形態では、本発明の撮像装置の一例として、磁気テープに映像を録画するとともに、録画された映像を再生することが可能なビデオカメラに、本発明を適用した場合について説明する。
【００２４】
本発明の一実施形態によるビデオカメラ１０では、図３および図４に示すように、樹脂製の筐体１１に、複数の光学レンズ１２が内部に収納された鏡筒１３と、ストロボ１４と、内蔵マイク１５と、ビデオテープ５０（図５参照）が着脱可能に装着されるビデオカセット部１６と、映像を録画する際に使用される録画／再生ボタン１７と、静止画像を録画する際に使用されるフォトボタン１８と、ファインダ１９と、録画時の映像を画面表示可能な液晶モニタ２０とが取り付けられた構造を有する。
【００２５】
また、図３および図４に示すように、複数の光学レンズ１２が収納された鏡筒１３は、筐体１１の正面側から外部に水平に突出されるように構成されている。また、ストロボ１４は、撮影時に補助光として発光する機能を有している。また、内蔵マイク１５は、撮影時（録画時）に被写体周辺の音を収集する機能を有している。また、録画／再生ボタン１７は、ユーザが撮影時に押圧することによって、後述するビデオカメラ１０の撮像部２１が撮影した映像をビデオテープ５０（図５参照）に録画する動作を開始するとともに、録画終了時には、ビデオテープ５０（図５参照）への録画を停止する機能を有している。また、フォトボタン１８は、ユーザが撮影時に押圧することにより、押圧された際に撮像部２１によって撮影されていた映像を静止画像として後述する制御回路部２２に設けられたメモリ部２２ｄ（図５参照）へ録画する機能を有する。また、ファインダ１９および筐体１１から開閉可能に開けられる液晶モニタ２０は、ユーザがファインダ１９および液晶モニタ２０のいずれか、またはその両方を通して被写体を見ながら、撮影範囲を決定することが可能なように構成されている。
【００２６】
また、筐体１１の内部には、図４に示すように、シャッタ装置部３０と、被写体を撮影するためのＣＣＤセンサ（図示せず）などの撮像素子を駆動させる撮像部２１と、制御回路部２２と、電源部２３と、撮影された映像データをビデオカメラ１０とビデオテープ５０（図５参照）との間で受け渡し可能なビデオテープＩ／Ｆ部２４とが設けられている。
【００２７】
ここで、本実施形態では、図１および図２に示すように、シャッタ装置部３０は、シャッタ開口部３１ａが設けられたシャッタ基板３１と、シャッタ開口部３１ａから入射する光量を減少させるための円形状の絞り穴３２ａ（小絞り用）が設けられるとともに、シャッタ基板３１に回動可能に取り付けられた扇形の外形形状を有する１枚のシャッタ羽根３２と、入力されたパルス数に基づいて回動角度が制御可能な、シャッタ羽根３２を回動駆動させるためのステッピングモータ３３とから構成されている。なお、ステッピングモータ３３は、本発明の「駆動源」の一例である。また、ステッピングモータ３３は、図２に示すように、シャッタ基板３１のシャッタ羽根３２が取り付けられている一方側面３１ｂとは反対側の他方側面３１ｃ側から、シャッタ羽根３２の回動平面（シャッタ基板３１の他方側面３１ｃと平行な平面）に対してステッピングモータ３３の駆動軸３３ａが垂直となる方向に、２個のねじ部材３４によってシャッタ基板３１に取り付けられている。また、図６に示すように、ステッピングモータ３３の駆動軸３３ａは、シャッタ基板３１の他方側面３１ｃ側から、シャッタ基板３１を貫通して、シャッタ基板３１の一方側面３１ｂのシャッタ羽根３２が回動する回動中心部３２ｂに、ギア部材などを介さずに直接的に取り付けられるように構成されている。
【００２８】
また、本実施形態では、図７および図８に示すように、ステッピングモータ３３の駆動軸３３ａに直接的に取り付けられた１枚のシャッタ羽根３２が、ステッピングモータ３３の回動角度に応じて、シャッタ基板３１のシャッタ開口部３１ａを完全に開く全開位置と、図９および図１０に示すように、シャッタ羽根３２の絞り穴３２ａをシャッタ開口部３１ａに重ねることによってシャッタ開口部３１ａを部分的に開く小絞り位置と、図１１および図１２に示すように、シャッタ開口部３１ａを完全に閉じる全閉位置との３つの状態を形成することが可能なように構成されている。
【００２９】
また、図５に示すように、ビデオカメラ１０の制御回路部２２は、撮影信号処理部２２ａと、プログラム格納メモリ部２２ｂと、作業用メモリ部２２ｃと、メモリ部２２ｄと、ＣＰＵからなる制御部２２ｅと、を含んでいる。
【００３０】
また、撮影信号処理部２２ａは、ＣＣＤセンサ（図示せず）が接続された撮像部２１によって撮影された映像を画像信号に変換するとともに、色調補正などの画像処理を加えたうえで記録可能なデータサイズに圧縮する機能を有する。また、プログラム格納メモリ部２２ｂは、ビデオカメラ１０の動作全体を制御する制御プログラムを記憶させるために設けられている。また、作業用メモリ部２２ｃは、ビデオカメラ１０が各種の動作を行う上で必要となるプログラムデータや制御パラメータなどを一時的に記憶させるために設けられている。また、メモリ部２２ｄは、撮像部２１によって撮影された静止画像を記録するために設けられている。また、制御部２２ｅは、ビデオカメラ１０の動作全体を制御する機能を有する。
【００３１】
次に、図１、図４、図５および図７〜図１２を参照して、本発明の一実施形態によるビデオカメラを構成するシャッタ装置部の動作について説明する。
【００３２】
まず、ビデオカメラ１０が撮影モード（録画待機状態）で被写体を撮影している状態では、図５に示すように、ＣＰＵからなる制御部２２ｅが、複数の光学レンズ１２（図４参照）を通過して撮像部２１に入射する被写体からの反射光（露光）の強さを検知している。
【００３３】
ここで、本実施形態では、図７〜図１０に示すように、撮像部２１が検知した反射光の強さに応じて、制御部２２ｅは、パルス制御によりシャッタ装置部３０のシャッタ基板３１に取り付けられたステッピングモータ３３を所定の角度だけ回動させることによって、シャッタ羽根３２がシャッタ基板３１のシャッタ開口部３１ａを完全に開く位置（全開位置）、または、シャッタ羽根３２に設けられた絞り穴３２ａをシャッタ開口部３１ａに配置させて、シャッタ開口部３１ａを部分的に開く位置（小絞り位置）にシャッタ羽根３２を回動させる。
【００３４】
また、本実施形態では、図７および図８に示すように、シャッタ羽根３２がシャッタ開口部３１ａを完全に開く位置（全開位置）をシャッタ羽根３２の初期位置（基準位置）とした場合、シャッタ羽根３２がシャッタ開口部３１ａを部分的に開く位置（小絞り位置）へシャッタ羽根３２を回動させる際には、制御部２２ｅ（図５参照）が、ステッピングモータ３３にパルス制御を行うことによって、シャッタ羽根３２は、矢印Ａ方向に角度α（９０度）だけ回動される。その結果、図９および図１０に示すように、シャッタ羽根３２は、シャッタ開口部３１ａを部分的に開く位置（小絞り位置）に移動された状態となる。なお、露光状態によってはシャッタ羽根３２がシャッタ開口部３１ａを完全に開く位置（全開位置）を継続する場合もあり、この場合、制御部２２ｅ（図５参照）によるシャッタ羽根３２の回動動作（矢印Ａ方向）は行われない。
【００３５】
そして、図７〜図１０に示すように、反射光（露光）の強さに応じたシャッタ羽根３２の位置を維持した状態で、ユーザがビデオカメラ１０の録画／再生ボタン１７（図４参照）を押圧することによって、制御部２２ｅ（図５参照）は撮像部２１（図５参照）から得られた映像に画像処理を加えると同時に、ビデオテープＩ／Ｆ部２４（図５参照）を介してビデオテープ５０（図５参照）への録画を開始する。また、録画中にユーザが再度録画／再生ボタン１７（図４参照）を押圧することによって、制御部２２ｅ（図５参照）はビデオテープ５０（図５参照）への録画を停止するとともに、録画待機状態に移行する。
【００３６】
次に、ビデオカメラ１０が撮影モード（録画待機状態）の状態で、図４に示すように、ユーザがフォトボタン１８を押圧することによって、制御部２２ｅ（図５参照）はフォトボタン１８を押圧したタイミングにおける被写体の映像を静止画として画像処理を行うとともに、制御回路部２２（図５参照）に設けられたメモリ部２２ｄ（図５参照）に録画する。
【００３７】
ここで、本実施形態では、図１１および図１２に示すように、制御部２２ｅ（図５参照）が、シャッタ装置部３０のシャッタ羽根３２が全開位置（図７参照）の状態から、ユーザがフォトボタン１８（図４参照）を押圧するタイミングに同期しながら、パルス制御によりシャッタ装置部３０のステッピングモータ３３を矢印Ａ方向に角度β（４５度）だけ回動させることによって、シャッタ羽根３２がシャッタ開口部３１ａを完全に閉じる位置（全閉位置）まで、シャッタ羽根３２は回動される。この場合、上述のように、シャッタ羽根３２が切られた（全閉された）時点での被写体の映像が静止画として、制御回路部２２（図５参照）のメモリ部２２ｄ（図５参照）に録画される。
【００３８】
また、本実施形態では、図１１および図１２に示すように、制御部２２ｅ（図５参照）が、シャッタ装置部３０のシャッタ羽根３２が小絞り位置（図９参照）の状態から、ユーザがフォトボタン１８（図４参照）を押圧するタイミングに同期しながら、パルス制御によりシャッタ装置部３０のステッピングモータ３３を矢印Ｂ方向に角度β（４５度）だけ回動させることによって、シャッタ羽根３２がシャッタ開口部３１ａを完全に閉じる位置（全閉位置）まで、シャッタ羽根３２は回動される。この場合も上述と同様に、シャッタ羽根３２が切られた（全閉された）時点での被写体の映像が静止画として、制御回路部２２（図５参照）のメモリ部２２ｄ（図５参照）に録画される。
【００３９】
また、本実施形態では、図１１に示すように、シャッタ羽根３２が切られて静止画が制御回路部２２（図５参照）のメモリ部２２ｄ（図５参照）に録画されると、ビデオカメラ１０の制御部２２ｅ（図５参照）は、パルス制御によりシャッタ装置部３０のステッピングモータ３３を矢印Ｂ方向に角度β（４５度）だけ回動させる。この結果、図７に示すように、シャッタ羽根３２がシャッタ開口部３１ａを完全に開く位置（全開位置）である初期位置（基準位置）まで、シャッタ羽根３２は回動されるとともに、ビデオカメラ１０は撮影モード（録画待機状態）の状態を継続する。
【００４０】
本実施形態では、上記のように、シャッタ基板３１に回動可能に取り付けられるとともに、シャッタ開口部３１ａを開閉可能で、かつ、シャッタ基板３１のシャッタ開口部３１ａから入射する光量を減少させる絞り穴３２ａを有する１枚のシャッタ羽根３２と、１枚のシャッタ羽根３２を回動駆動させる１つのステッピングモータ３３とを備えるように構成することによって、ステッピングモータ３３が１枚のシャッタ羽根３２を回動させる際に、露光を調節する小絞り状態を含めた撮像に関わる全てのシャッタ動作を行わせることができるために、シャッタ装置部３０を構成する部品点数の増加を抑制することができる。
【００４１】
また、本実施形態では、ステッピングモータ３３の駆動軸３３ａを、シャッタ羽根３２の回動中心部３２ｂにギア部材などを介さずに直接的に接続するように構成することによって、ステッピングモータ３３の駆動力をシャッタ羽根３２に伝達するためのギア部材やカム機構などを新たに設ける必要がないので、シャッタ装置部３０の駆動機構を簡素化することができるとともに、部品点数の増加をより抑制することができる。
【００４２】
また、本実施形態では、ステッピングモータ３３を、ステッピングモータ３３の駆動軸３３ａがシャッタ羽根３２の回動平面に対して実質的に垂直となるように、２個のねじ部材３４によってシャッタ基板３１の他方側面３１ｂに取り付けるように構成することによって、ステッピングモータ３３の駆動軸３３ａと、シャッタ羽根３２の回動軸とが平行となるので、容易に、ステッピングモータ３３の駆動力をシャッタ羽根３２の回動中心部３２ｂに直接的に取り付けることができる。
【００４３】
また、本実施形態では、シャッタ羽根３２の駆動源を、パルス数により回動角度の制御が可能なステッピングモータ３３を使用するように構成することによって、パルス数の制御により容易にステッピングモータ３３の駆動軸３３ａの回動角度を制御することができる。
【００４４】
また、本実施形態では、シャッタ羽根３２を、ステッピングモータ３３の駆動軸３３ａの回動角度に応じて、シャッタ開口部３１ａを開く全開位置（図７参照）、シャッタ開口部３１ａを閉じる全閉位置（図１１参照）、および、シャッタ開口部３１ａに絞り穴３２ａを配置させてシャッタ開口部３１ａを部分的に開く小絞り位置（図９参照）の３つの位置に移動可能であるように構成することによって、１枚のシャッタ羽根３２を使用して、シャッタ開口部３１ａを全開、全閉および小絞り状態の３つの状態を撮像プロセスに従って形成することができるので、露光状況に応じた被写体の撮像を容易に行うことができる。
【００４５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４６】
たとえば、上記実施形態では、撮影装置の一例としてビデオカメラを示したが、本発明はこれに限らず、シャッタ基板を有する撮影装置であれば、ビデオカメラ以外の他の撮影装置にも適用可能である。
【００４７】
また、上記実施形態では、シャッタ装置部３０は、シャッタ開口部３１ａが設けられたシャッタ基板３１と、シャッタ開口部３１ａから入射する光量を減少させるための円形状の絞り穴３２ａ（小絞り用）が設けられるとともに、シャッタ基板３１に回動可能に取り付けられた扇形の外形形状を有する１枚のシャッタ羽根３２と、入力されたパルス数に基づいて回動角度が制御可能な、シャッタ羽根３２を回動駆動させるためのステッピングモータ３３とから構成される例を示したが、本発明はこれに限らず、シャッタ装置部には、円形以外の他の形状を有する絞り穴が設けられるとともに、扇形以外の他の外形形状を有するシャッタ羽根が設けられるようにしてもよい。
【００４８】
また、上記実施形態では、ステッピングモータ３３が、シャッタ基板３１のシャッタ羽根３２が取り付けられている一方側面３１ｂとは反対側の他方側面３１ｃに取り付けられる例を示したが、本発明はこれに限らず、シャッタ基板のシャッタ羽根が取り付けられている側の側面にステッピングモータを取り付けるようにしてもよい。
【００４９】
また、上記実施形態では、シャッタ装置部３０に設けられたシャッタ羽根３２の駆動源として、入力されたパルス数に基づいて回動角度が制御可能なステッピングモータ３３を使用した例を示したが、本発明はこれに限らず、シャッタ羽根の駆動源として、ステッピングモータ以外の３つの位置を往復回動可能な駆動源を使用するようにしてもよい。
【図面の簡単な説明】
【００５０】
【図１】本発明の一実施形態によるビデオカメラを構成するシャッタ装置部を示した斜視図である。
【図２】図１に示した本発明の一実施形態によるビデオカメラを構成するシャッタ装置部を別方向から見た場合の斜視図である。
【図３】図１に示した本発明の一実施形態によるビデオカメラの全体構成を示した斜視図である。
【図４】図１に示した本発明の一実施形態によるビデオカメラの全体構成を示した斜視図である。
【図５】図１に示した本発明の一実施形態によるビデオカメラの回路構成を示すブロック図である。
【図６】図１に示した本発明の一実施形態によるビデオカメラを構成するシャッタ装置部の平面図である。
【図７】図１に示した本発明の一実施形態によるビデオカメラを構成するシャッタ装置部の構成および動作を説明するための図である。
【図８】図１に示した本発明の一実施形態によるビデオカメラを構成するシャッタ装置部の構成および動作を説明するための図である。
【図９】図１に示した本発明の一実施形態によるビデオカメラを構成するシャッタ装置部の構成および動作を説明するための図である。
【図１０】図１に示した本発明の一実施形態によるビデオカメラを構成するシャッタ装置部の構成および動作を説明するための図である。
【図１１】図１に示した本発明の一実施形態によるビデオカメラを構成するシャッタ装置部の構成および動作を説明するための図である。
【図１２】図１に示した本発明の一実施形態によるビデオカメラを構成するシャッタ装置部の構成および動作を説明するための図である。
【符号の説明】
【００５１】
３１  シャッタ基板
３１ａ  シャッタ開口部
３２  シャッタ羽根
３２ａ  絞り穴
３２ｂ  回動中心部
３３  ステッピングモータ（駆動源）
３３ａ  駆動軸
【図１】
2008052155.tif 000003
【図２】
2008052155.tif 000004
【図３】
2008052155.tif 000005
【図４】
2008052155.tif 000006
【図５】
2008052155.tif 000007
【図６】
2008052155.tif 000008
【図７】
2008052155.tif 000009
【図８】
2008052155.tif 000010
【図９】
2008052155.tif 000011
【図１０】
2008052155.tif 000012
【図１１】
2008052155.tif 000013
【図１２】
2008052155.tif 000014